(57)【要約】【課題】回路基板の放熱性の向上及び配線の自由度の向上を図ることが可能な遊技機を提供する。【解決手段】遊技機は、第１保持部材３６と第２保持部材３３との間に配置され、配線が形成されない非配線部を両面に有した回路基板３５を備える。第２保持部材３３に設けられて非配線部に当接可能な複数の第２突起部３３ｅのうち少なくとも１つは、第１保持部材３６に設けられて非配線部に当接可能な複数の第１突起部３６ｄのいずれにも片面に交差する方向視において重ならない位置に配置されている。【選択図】図４
2019088706.tif 000002
【特許請求の範囲】
【請求項１】
複数の装飾部材が設けられた支持部材を有する遊技機において、
前記支持部材に支持された第１保持部材と、
前記第１保持部材に対向して支持された第２保持部材と、
前記第１保持部材と前記第２保持部材との間に配置され、配線が形成された配線部を少なくとも片面に有すると共に配線が形成されない非配線部を両面に有した回路基板と、を備え、
前記第１保持部材は、前記両面の一方の面の非配線部に当接可能な複数の第１突起部を有し、
前記第２保持部材は、前記両面の他方の面の非配線部に当接可能な複数の第２突起部を有し、
前記複数の第２突起部のうち少なくとも１つは、前記複数の第１突起部のいずれにも前記片面に交差する方向視において重ならない位置に配置されている、
ことを特徴とする遊技機。
【請求項２】
前記回路基板は、前記第１保持部材及び前記第２保持部材の少なくとも一方に形成された支持部が挿入される溝又は孔が形成され、前記支持部により前記一方の面と平行な方向を位置決め支持されている、
ことを特徴とする請求項１に記載の遊技機。
【発明の詳細な説明】
【技術分野】
【０００１】
本発明は、遊技機に関する。
【背景技術】
【０００２】
従来、抽選や遊技価値の付与等に関する制御を実行する制御基板や、発光することで遊技を盛り上げる演出を実行する電飾基板等の、回路基板を備えるパチンコ機やスロットマシン等の遊技機が知られている。この種の遊技機において、回路基板上の電子部品や配線を保護するために、回路基板の端面や前後をカバーで覆ったものが提案されている（特許文献１参照）。
【先行技術文献】
【特許文献】
【０００３】
【特許文献１】特許第５７５８０９２号公報
【発明の概要】
【発明が解決しようとする課題】
【０００４】
しかしながら、特許文献１に記載の遊技機は、回路基板を覆うカバーが回路基板の周縁部に沿って回路基板を囲う側壁を有しており、該側壁により回路基板の前後を挟み込んで回路基板を支持しているため、回路基板が発する熱がカバー内で篭りやすいという問題があった。また、特許文献１に記載の遊技機においては、回路基板上の配線や搭載部品が側壁と接触して傷つくことを防ぐため、回路基板上の配線等を側壁から十分に離して配置することが求められ、側壁が接触する回路基板の周縁部の広範囲において配線や搭載部品を配置することができず、配線の自由度が低いという問題があった。
【０００５】
そこで本発明は、回路基板の放熱性の向上及び配線の自由度の向上を図ることが可能な遊技機を提供することを目的とするものである。
【課題を解決するための手段】
【０００６】
本発明に係る遊技機（１）は、複数の装飾部材（７５，７６Ｌ，７６Ｒ）が設けられた支持部材（５３）を有する遊技機において、
前記支持部材（５３）に支持された第１保持部材（３６）と、
前記第１保持部材（３６）に対向して支持された第２保持部材（３３）と、
前記第１保持部材（３６）と前記第２保持部材（３３）との間に配置され、配線が形成された配線部を少なくとも片面に有すると共に配線が形成されない非配線部を両面に有した回路基板（３５）と、を備え、
前記第１保持部材（３６）は、前記両面の一方の面の非配線部に当接可能な複数の第１突起部（３６ｄ）を有し、
前記第２保持部材（３３）は、前記両面の他方の面の非配線部に当接可能な複数の第２突起部（３３ｅ）を有し、
前記複数の第２突起部（３３ｅ）のうち少なくとも１つは、前記複数の第１突起部（３６ｄ）のいずれにも前記片面に交差する方向視において重ならない位置に配置されている、ことを特徴とする。
【０００７】
また、本発明において、前記回路基板（３５）は、前記第１保持部材（３６）及び前記第２保持部材（３３）の少なくとも一方に形成された支持部（３３ｄ）が挿入される溝（３５ｄ）又は孔（３５ｃ）が形成され、前記支持部（３３ｄ）により前記一方の面と平行な方向を位置決め支持されている、ことを特徴とする。
【０００８】
なお、上記カッコ内の符号は、図面と対照するためのものであるが、これは、発明の理解を容易にするための便宜的なものであり、特許請求の範囲の構成に何等影響を及ぼすものではない。
【発明の効果】
【０００９】
本発明に係る遊技機は、第１保持部材が、回路基板の一方の面に当接可能な複数の第１突起部を有し、第２保持部材が、回路基板の他方の面に当接可能な複数の第２突起部を有しているので、回路基板と第１保持部材及び第２保持部材との間に、回路基板が第１突起部及び第２突起部に接触しない空間が形成され、回路基板が発する熱が該空間から逃げやすいことで、回路基板の放熱性の向上を図ることができる。
【００１０】
また、回路基板に当接可能な複数の第２突起部のうち少なくとも１つは複数の第１突起部のいずれにも重ならない位置に配置されているので、回路基板の第１突起部又は第２突起部が当接する部分において両面を塞いで熱が逃げにくくなることを防ぎ、回路基板の放熱性の向上を図ることができる。また、第１保持部材及び第２保持部材は、複数の第１突起部及び第２突起部で回路基板に当接するように構成したので、回路基板上の非配線部において第１保持部材及び第２保持部材が当接する箇所を限られた領域にすることができ、回路基板上の配線を形成可能な領域を拡大し、配線の自由度の向上を図ることができる。
【図面の簡単な説明】
【００１１】
【図１】本実施形態における遊技機の外観構成を示す斜視図である。
【図２】本実施形態におけるナビランプユニットを前方側から視た分解斜視図である。
【図３】本実施形態における前カバーを除くナビランプユニットの拡大図で、（Ａ）は前方から視た分解斜視図、（Ｂ）は後方から視た分解斜視図である。
【図４】本実施形態における前カバーを除くナビランプユニットを示す図で、（Ａ）は図４（Ｃ）におけるＡ−Ａ断面図、（Ｂ）は図４（Ｃ）におけるＢ−Ｂ断面図、（Ｃ）は正面図である。
【図５】本実施形態における前カバーを除くナビランプユニットを示す図で、（Ａ）は図４（Ａ）におけるＣ−Ｃ断面図、（Ｂ）は図４（Ａ）におけるＤ−Ｄ断面図である。
【発明を実施するための形態】
【００１２】
以下、本発明に係る実施の形態について説明する。なお、以下に説明する実施の形態は、特許請求の範囲に記載された本発明の内容を不当に限定するものではない。また、本実施の形態で説明される構成の全てが、本発明の必須構成要件であるとは限らない。更に、以下の説明において基本的に「前後」とは、遊技機の前側に遊技者が居る場合に、遊技者側が「前」で、遊技機側が「後」を意味し、「上下」とは遊技機の上面側が「上」で、下面側が「下」を意味し、「左右」とは遊技機を遊技する遊技者の左手側が「左」を意味し、右手側が「右」を意味する。
【００１３】
１．遊技機の全体構成
まず、本発明の実施の形態に係る遊技機としてのスロットマシン１の全体構成について図１に基づいて説明をする。本実施の形態に係るスロットマシン１は、いわゆる回胴式遊技機と呼ばれるもので、メダルを遊技媒体として用いた遊技を行う種類の遊技機である。図１に示すように、スロットマシン１は、６面体構造のうち遊技者に対向する前面が開口した筐体１０を備えていると共に、この開口した筐体１０の前面を開閉可能な前扉５０により被覆して構成されている。また、筐体１０の内部には、複数の回転リールとしての第１リールＲ１〜第３リールＲ３を備えたリールユニットＲＥ、リールユニットＲＥの下部に配置されたメダルの払出装置としてのホッパーユニット（不図示）、及びリールユニットＲＥの上部に配置され、遊技を実行するための各種の演算を行うと共にリールユニットＲＥやホッパーユニットの動作を制御する主制御基板（不図示）が収められている。
【００１４】
第１リールＲ１〜第３リールＲ３は、それぞれ外周面が一定の間隔で２１の領域（以下、各領域を「コマ」と記載する）に区画されており、各コマに複数種類の図柄のいずれかが配列されている。また、第１リールＲ１〜第３リールＲ３は、リールを駆動させるアクチュエータとしての第１ステッピングモータ〜第３ステッピングモータに軸支されており、それぞれステッピングモータの軸周りに回転駆動され、ステッピングモータの駆動パルスのパルス数やパルス幅などを制御することによって、コマ単位（所定の回転角度単位、所定の回転量単位）で停止可能に設けられている。
【００１５】
前扉５０は、上扉ユニット５０Ｕと、下扉ユニット５０Ｌとに上下に分割して構成されており、上扉ユニット５０Ｕは、その中央部から上方部に亘って大型の液晶からなる表示装置５２が設けられていると共に、表示装置５２の下方には、第１リールＲ１〜第３リールＲ３の回転状態及び停止状態を観察可能にする表示窓５１が設けられている。第１リールＲ１〜第３リールＲ３の停止状態では、第１リールＲ１〜第３リールＲ３それぞれの外周面に一定間隔で配列された複数種類の図柄のうち、外周面上に連続して配列されている３つの図柄（上段図柄、中段図柄、下段図柄）をスロットマシン１の正面から表示窓５１を通じて観察できるようになっている。
【００１６】
また、本実施形態のスロットマシン１では、各リールの上段・中段・下段の表示位置の組合せ（例えば中段１列）によって有効ラインＬｆが設定されている。なお、本実施形態のスロットマシン１では、１回の遊技に関して必要となるメダルの数、いわゆる規定投入数が３枚に設定され、規定投入数に相当するメダルが投入されると第１リールＲ１〜第３リールＲ３の中段によって構成される有効ラインＬｆが有効化される。
【００１７】
前扉５０の下扉ユニット５０Ｌには、演出用の絵柄などを表示する下パネル５５が設けられていると共に、下パネル５５の上方には各種の操作手段が設けられている。操作手段としては、クレジット（貯留）されたメダルを投入する操作を行うための投入操作手段として、１枚のメダルを投入するシングルベットボタンＢＴ及び規定投入数のメダルを投入するマックスベットを実行するマックスベットボタンＭＢ、第１リールＲ１〜第３リールＲ３を回転させて遊技を開始する契機となる開始操作を遊技者に実行させるための遊技開始操作手段としてのスタートレバーＳＬ、第１ステッピングモータ〜第３ステッピングモータにより回転駆動されている第１リールＲ１〜第３リールＲ３のそれぞれを停止させる契機となる停止操作を遊技者に実行させるための停止操作手段としてのストップボタンＢ１〜ストップボタンＢ３などが設けられている。
【００１８】
更に、下扉ユニット５０Ｌには、遊技者がメダルを投入するメダル投入口５６が設けられており、このメダル投入口５６から投入されたメダルは、下扉ユニット５０Ｌの裏側に設けられたセレクタ（不図示）によってカウントされてホッパーユニットへと案内されるようになっている。本実施の形態のスロットマシン１では、遊技者がメダルをメダル投入口５６に投入するか、メダルが規定投入数以上にクレジットされている場合に、シングルベットボタンＢＴを規定投入数と同じ回数押下する操作又はマックスベットボタンＭＢを押下する操作を行うことで、第１リールＲ１〜第３リールＲ３の回転制御を開始することが可能な準備状態にセットされる。そして、遊技者がスタートレバーＳＬを押下、つまり遊技者がスタートレバーＳＬに対して開始操作を実行すると、主制御基板において乱数値を用いた内部抽選が行われた後に第１リールＲ１〜第３リールＲ３をステッピングモータの駆動により回転開始させ、第１リールＲ１〜第３リールＲ３の回転速度が所定の速度まで上昇し定常回転になったことを条件に、ストップボタンＢ１〜ストップボタンＢ３の押下操作が許可、即ちストップボタンＢ１〜ストップボタンＢ３による停止操作が有効化される。
【００１９】
その後、遊技者が任意のタイミングでストップボタンＢ１〜ストップボタンＢ３を押下（以下、「押下タイミング」と記載）し、遊技者が任意のタイミングで押下状態にあるストップボタンＢ１〜ストップボタンＢ３を解放すると、ストップボタンＢ１〜ストップボタンＢ３のそれぞれに対応するストップスイッチがオフ動作を行い、主制御基板（不図示）へ出力するリール停止信号をオン状態からオフ状態に変化させる。
【００２０】
そして、主制御基板は、ストップボタンＢ１〜ストップボタンＢ３の押下タイミング及び解放タイミングに応じて信号状態が変化するリール停止信号のオフ状態からオン状態への変化に基づいて、内部抽選の結果に応じた停止位置で第１リールＲ１〜第３リールＲ３を停止させる。
【００２１】
また、主制御基板は、第１リールＲ１〜第３リールＲ３を停止させた後に、有効ラインＬｆ上に停止している図柄の組合せに応じて、各種処理を実行する。主制御基板が実行する各種処理としては、例えば、有効ラインＬｆ上に停止している図柄の組合せが複数種類の役のうちメダルの払い出しを伴う小役の図柄組合せである場合、即ち小役が入賞した場合に、入賞した小役に設定されている配当に基づきホッパーユニットからメダルを払い出す払出処理や、有効ラインＬｆ上に停止している図柄の組合せが遊技者にメダルを消費させることなく１回遊技を実行可能にするリプレイの図柄組合せである場合に、今回の遊技における規定投入数のメダルを投入状態に設定するリプレイ処理等がある。
【００２２】
また、下扉ユニット５０Ｌの下部にはメダル受け皿６０が設けられており、遊技の結果に応じた枚数のメダルがメダル払出口からメダル受け皿６０へ払い出されるようになっている。更に、例えば、遊技機内にクレジットされたメダルが記憶されている状態で、精算ボタンが押下された場合、精算ボタンの押下に伴ってホッパーユニットからクレジット数（クレジットされたメダルの枚数）に相当する枚数のメダルを払い出す精算処理を実行し、メダル払出口からメダル受け皿６０へメダルを払い出す。
【００２３】
上扉ユニット５０Ｕは、正面視において上扉ユニット５０Ｕと略同じ大きさのベース部材５３（支持部材）を有している。ベース部材５３には、遊技を盛り上げるための音響装置（不図示）、スロットマシン１を装飾すると共に発光する演出を行う電飾装置７５，７６Ｌ，７６Ｒ，７７，３１、演出用の可動役物７１、及び上述した表示装置５２など、上扉ユニット５０Ｕを構成する複数の装飾部材や演出装置、演出装置を制御する副制御基板（不図示）等が支持されている。具体的には、表示装置５２の前面には、可動役物としてシャッタ装置７１が設けられており、遊技の進行に応じて左右のシャッタ（可動部材）７１Ｌ，７１Ｒを移動（開閉）させて表示装置５２の画面を遮蔽させたり露出させたりすることができるようになっている。
【００２４】
また、電飾装置として、表示装置５２の上方には上部ランプユニット７５が設けられていると共に、表示装置５２の左右側方には、サイドランプユニット７６Ｌ，７６Ｒが設けられている。更に、リールユニットＲＥの図柄を観察する表示窓５１の左右側方には、演出用の図柄を発光させるランプ装置７７及び演出時に発光したり遊技者が操作を行ったりするプッシュボタンＳＢが設けられている。また、表示装置５２の下方には、ベース部材５３に固定されているナビランプユニット３１が設けられている。これら上部ランプユニット７５及びサイドランプユニット７６Ｌ，７６Ｒ及びナビランプユニット３１は、遊技に合わせて点灯して演出用の照明装置として機能したり、遊技に係る情報を遊技者に報知する報知装置として機能したりする。
【００２５】
より具体的には、上記ナビランプユニット３１は、複数（例えば７個）の発光部３１ａが左右方向に１列に並ぶように設けられている。このため、例えば、上記ナビランプユニット３１は、中央に配置されている発光部３１ａが第２リールＲ２に、中央より左側に配置されている発光部３１ａが第１リールＲ１に、中央より右側に配置されている発光部３１ａが第３リールＲ３に対応して点灯することにより、第１リールＲ１〜第３リールＲ３の停止順序（以下、打順ともいう）を遊技者に報知することが出来るようになっている。また、ナビランプユニット３１は、複数の発光部３１ａを左右方向に順番に点灯させたり、特定の発光部のみを点灯させたりすることによって、種々のランプ演出を実行することができるように構成されている。なお、上部ランプユニット７５、サイドランプユニット７６Ｌ，７６Ｒ等が、本実施形態における複数の装飾部材を構成し、ベース部材５３が、本実施形態における複数の装飾部材が設けられた支持部材を構成する。
【００２６】
２．ナビランプユニットの概略構成
次に、上記ナビランプユニット３１の概略構成について図２に基づいて説明をする。図２に示すように、ナビランプユニット３１は、スロットマシン１の外装において表示窓５１の周りを覆う上扉ユニット５０Ｕの前カバー３０と、複数のアウターレンズ３３（第２保持部材）と、複数のインナーレンズ３４と、光源となる発光ダイオード３５ａ（以下、ＬＥＤという）を備えた複数のＬＥＤ基板３５（回路基板）と、ＬＥＤ基板３５の後方を覆う後カバー３６（第１保持部材）と、を備えている。
【００２７】
前カバー３０は、上扉ユニット５０Ｕにおいて、表示窓５１の上方部分をカバーするトップカバー部３０Ｔと、表示窓５１の側方をカバーするサイドカバー部３０Ｌ，３０Ｒと、表示窓５１の下方部分をカバーするするボトムカバー部３０Ｂと、を備えている。サイドカバー部３０Ｌにはランプ装置７７が、サイドカバー部３０ＲにはプッシュボタンＳＢが取り付けられる。
【００２８】
上記トップカバー部３０Ｔの後方には、後カバー３６が配置されて、後方からねじ３２によりトップカバー部３０Ｔに固定されている。トップカバー部３０Ｔと後カバー３６との間には、後カバー３６に対向してアウターレンズ３３が配置され、トップカバー部３０Ｔに支持されている。また、後カバー３６とアウターレンズ３３との間には、ＬＥＤ基板３５が配置されている。また、トップカバー部３０Ｔは、発光部３１ａに対応する位置に複数の開口３０ａが形成されており、該開口３０ａを通して、アウターレンズ３３に形成されているレンズ面３３ａが露出するように構成されている。
【００２９】
ねじ３２により後カバー３６がトップカバー部３０Ｔに固定された状態において、アウターレンズ３３及びＬＥＤ基板３５は、前後方向に僅かに（例えば０．５ｍｍ以内）移動可能に構成されている。このように構成されることにより、ナビランプユニット３１は、後カバー３６が固定された状態において、ＬＥＤ基板３５に前後方向に変形するストレスを与えてしまうことを防止することができる。
【００３０】
複数のアウターレンズ３３及びアウターレンズ３３とＬＥＤ基板３５との間に配置されている複数のインナーレンズ３４は、それぞれ左右方向に１列に並べられて配置されている。アウターレンズ３３及びインナーレンズ３４は、透明度が高い合成樹脂で形成されており、ＬＥＤ基板３５の前面側を覆って保護すると共に、ＬＥＤ３５ａが出力する光を屈折、収束、拡散させる等により方向を変化させ、遊技者に対してＬＥＤ３５ａの光を効果的に見せている。
【００３１】
複数（例えば２枚）のＬＥＤ基板３５は、前面及び後面が略並行で、前面及び後面に配線（不図示）が形成されている回路基板であり、前面にはＬＥＤ３５ａが、後面にはＬＥＤ３５ａに電力を供給するためのコネクタ３５ｂ（図３（Ｂ）参照）が搭載されている。ＬＥＤ基板３５は、それぞれ左右方向が長辺となる長方形に形成されて、左右方向に並べられて配置されている。ＬＥＤ基板３５の上下方向の幅は、アウターレンズ３３の上下方向の幅と略同一であり、最左方に配置されているＬＥＤ基板３５の左端と最右方に配置されているＬＥＤ基板３５の右端との長さは、最左方に配置されているアウターレンズ３３の左端と最右方に配置されているアウターレンズ３３の右端との長さと、略同一であるように形成されている。
【００３２】
後カバー３６は、透明度が低い合成樹脂で形成されており、ＬＥＤ基板３５の後面側を覆ってＬＥＤ基板３５を保護すると共に、ＬＥＤ３５ａから出力される光を後方に漏れにくくするように構成されている。また、後カバー３６の上下方向の幅は、ＬＥＤ基板３５の上下方向の幅と略同一であり、後カバー３６の左右方向の長さは、最左方に配置されているＬＥＤ基板３５の左端と最右方に配置されているＬＥＤ基板３５の右端との長さと、略同一であるように形成されている。このように、ＬＥＤ基板３５の上端、下端、左端及び右端（以下、上端、下端、左端及び右端をまとめて端面という）は、アウターレンズ３３及び後カバー３６によっては覆われないように構成されている。
【００３３】
３．ナビランプユニットの詳細
次に、ナビランプユニット３１において、後カバー３６と、それぞれ最右方に配置されているアウターレンズ３３、インナーレンズ３４及びＬＥＤ基板３５と、の詳細について図３及び図４に基づいて説明をする。図３（Ａ）及び（Ｂ）に示すように、後カバー３６は、前方に向けて配置されている板状の後保護板３６ａと、後保護板３６ａの周縁部から前方へ延設されている後壁部３６ｂと、を有し、後保護板３６ａには、ねじ３２が貫通する複数のねじ孔３６ｃが形成されている。
【００３４】
後壁部３６ｂの前端には、円柱状の複数の後カバー突起部３６ｄ（第１突起部）が前方に向けて突起して設けられている。また、複数の後カバー突起部３６ｄの前端は、略同一平面上に配置されている。後カバー３６は、後保護板３６ａの前面から後カバー突起部３６ｄの前端までの距離が、ＬＥＤ基板３５の後面に搭載されているコネクタ３５ｂ等の部品の前後方向の最大長さより大きくなるように形成されている。また、後カバー突起部３６ｄは、周囲からの突出長さが、ＬＥＤ基板３５の後面に形成されている配線の厚さより十分に長く形成されていると共に、少なくとも３つの後カバー突起部３６ｄの前端が、ＬＥＤ基板３５の後面（一方の面）の周縁部に同時に当接可能に形成されており、後カバー突起部３６ｄがＬＥＤ基板３５に当接して、ＬＥＤ基板３５の後方への移動を規制している。これにより、ＬＥＤ基板３５の後面と後壁部３６ｂの前端との間には、ＬＥＤ基板３５の後面に形成されている配線の厚さより前後方向の寸法が大きな空間４２が形成され（図４（Ａ）参照）、後壁部３６ｂの前端はＬＥＤ基板３５及びＬＥＤ基板３５の後面上に形成されている配線のいずれにも当接しないように構成される。
【００３５】
ＬＥＤ基板３５は、厚さが略一定の平板状に形成されており、前方を向くように配置されている。ＬＥＤ基板３５は、前面及び後面に配線がエッチング等により形成されており、後面のコネクタ３５ｂに供給された電流が配線を通じてＬＥＤ３５ａに供給されるように構成されている。なお、以下の記載において、ＬＥＤ基板３５の前面及び後面の、配線が形成されている範囲を配線部３５ｇ（図５（Ａ）、（Ｂ）参照）、配線が形成されていない範囲を非配線部３５ｈ（図５（Ａ）、（Ｂ）参照）という。後カバー突起部３６ｄが当接可能なＬＥＤ基板３５の後面の範囲は非配線部３５ｈとなっている。
【００３６】
ＬＥＤ基板３５には、ＬＥＤ基板３５の前面と平行な方向について、ＬＥＤ基板３５をアウターレンズ３３に対して位置決めするための、円孔３５ｃと、ＬＥＤ基板の上端部及び下端部にそれぞれ配置されて前後方向に延びる溝３５ｄと、が形成されている。また、ＬＥＤ基板３５には、ＬＥＤ基板３５の前面と平行な方向について、ＬＥＤ基板３５をインナーレンズ３４に対して位置決めするための、円孔３５ｅ及び長孔３５ｆが形成されている。長孔３５ｆは、ＬＥＤ基板３５の前面において、長手方向が円孔３５ｅの中心と長孔３５ｆの中心とを結ぶ直線に平行となるように形成されている。
【００３７】
アウターレンズ３３は、発光部３１ａに対応する位置に形成されているレンズ面３３ａを有して、後カバー３６に対向するように前方に向けて配置されている板状の前保護板３３ｂと、前保護板３３ｂの周縁部から後方へ延設されている前壁部３３ｃと、を有し、トップカバー部３０Ｔに当接することにより前方への移動及びＬＥＤ基板３５の前面と平行な方向への移動が規制されている。前壁部３３ｃの後端には、円孔３５ｃ及び溝３５ｄのそれぞれに対応する位置に配置されている円柱状のアウターレンズ支持部３３ｄが後方に向けて突設されている。アウターレンズ支持部３３ｄは、円孔３５ｃ及び溝３５ｄのそれぞれに挿入されている。これにより、アウターレンズ３３は、ＬＥＤ基板３５の前面と平行な方向について、アウターレンズ３３に対してＬＥＤ基板３５を位置決め支持している。前壁部３３ｃの後端には、円柱状の複数のアウターレンズ突起部３３ｅ（第２突起部）が後方に向けて突設されている。また、複数のアウターレンズ突起部３３ｅの後端は、略同一平面上に配置されている。
【００３８】
また、アウターレンズ突起部３３ｅは、前壁部３３ｃの後端からの突出長さが、ＬＥＤ基板３５の前面に形成されている配線の厚さより十分に長く形成されていると共に、少なくとも３つのアウターレンズ突起部３３ｅの後端が、ＬＥＤ基板３５の前面（他方の面）の周縁部に同時に当接可能に形成されており、アウターレンズ突起部３３ｅがＬＥＤ基板３５に当接して、ＬＥＤ基板３５の後方への移動を規制している。これにより、ＬＥＤ基板３５の前面と前壁部３３ｃの後端との間には、ＬＥＤ基板３５の前面に形成されている配線の厚さより前後方向の寸法が大きな空間４０が形成され（図４（Ａ）参照）、前壁部３３ｃの後端はＬＥＤ基板３５及びＬＥＤ基板３５の前面上に形成されている配線のいずれにも当接しないように構成される。
【００３９】
また、アウターレンズ突起部３３ｅは、ＬＥＤ基板３５の前面に形成されている非配線部３５ｈに当接するように配置されていると共に、ＬＥＤ基板３５の前面に形成されている配線からは十分な距離（例えば５ｍｍ）を離して配置されており、ＬＥＤ基板３５の前面と平行な方向における部品間の遊びや部品寸法のばらつき等があっても、配線とアウターレンズ突起部３３ｅとが当接しないように構成されている。
【００４０】
インナーレンズ３４は、前方を向くように配置されている板状に形成されて、アウターレンズの前壁部３３ｃの内側に収納されており、アウターレンズ３３に当接することにより前方への移動が規制されている。インナーレンズ３４は、前面及び後面に、ＬＥＤ３５ａが出力した光の方向を変化させるための複数の凹凸３４ａが形成されており、後面に、ＬＥＤ３５ａとインナーレンズ３４とが当接することを防ぐための凹部３４ｂがＬＥＤ３５ａに対応する位置に形成されている。インナーレンズ３４の後面側には、円孔３５ｅ及び長孔３５ｆのそれぞれに対応する位置に配置されている円柱状のインナーレンズ支持部３４ｃが後方に向けて突設されている。インナーレンズ支持部３４ｃは、円孔３５ｅ及び長孔３５ｆのそれぞれに挿入されている。これにより、ＬＥＤ基板３５は、ＬＥＤ基板３５の前面と平行な方向について、インナーレンズ３４に対して位置決め支持されている。また、インナーレンズ３４の後面側には、円柱状の複数のインナーレンズ突起部３４ｄが後方に向けて突設されている。また、インナーレンズ突起部３４ｄの後端は、略同一平面上に配置されている。
【００４１】
また、少なくとも３つのインナーレンズ突起部３４ｄの前端は、ＬＥＤ基板３５の前面に同時に当接可能で、かつインナーレンズ突起部３４ｄは、周囲からの突出長さが、ＬＥＤ基板３５の前面に形成されている配線の厚さより十分に長く形成されている。これにより、ＬＥＤ基板３５の前面とインナーレンズ支持部３４ｃ及びインナーレンズ突起部３４ｄ以外の部分との間には、ＬＥＤ基板３５の前面に形成されている配線の厚さより前後方向の寸法が大きな空間４１が形成され（図４（Ｂ）参照）、インナーレンズ３４は、インナーレンズ支持部３４ｃ及びインナーレンズ突起部３４ｄ以外の部分が、ＬＥＤ基板３５及びＬＥＤ基板３５の後面上の配線のいずれにも当接しないように構成される。
【００４２】
後カバー３６は、前カバー３０を介してベース部材５３に固定されることで、ベース部材５３に支持されている。この、後カバー３６が、本実施形態における第１保持部材を構成し、アウターレンズ３３が、本実施形態における第２保持部材を構成する。
【００４３】
次に、後カバー突起部３６ｄ、アウターレンズ突起部３３ｅ及びインナーレンズ突起部３４ｄの配置について説明をする。図４（Ｃ）における断面図である図４（Ａ）及び（Ｂ）、図４（Ａ）における断面図である図５（Ａ）及び（Ｂ）に示すように、後カバー突起部３６ｄとアウターレンズ突起部３３ｅとは、左右方向即ちＬＥＤ基板３５の長手方向において互いに重ならないように配置されており、後カバー突起部３６ｄとインナーレンズ突起部３４ｄとは、左右方向即ちＬＥＤ基板３５の長手方向において互いに重ならないように配置されている。従って、ＬＥＤ基板３５の前面に交差する方向視において、後カバー突起部３６ｄとアウターレンズ突起部３３ｅとが、後カバー突起部３６ｄとインナーレンズ突起部３４ｄとが、それぞれ重ならない位置に配置されているといえる。
【００４４】
また、ＬＥＤ基板３５の前面において、非配線部３５ｈは、ＬＥＤ基板３５の前面に当接可能なアウターレンズ突起部３３ｅ及びインナーレンズ突起部３４ｄの周囲に形成されている。ＬＥＤ基板３５の前面と平行な方向における部品間の遊びや部品寸法のばらつき等があっても、配線部３５ｇに形成されている配線と、アウターレンズ突起部３３ｅ及びインナーレンズ突起部３４ｄと、が当接しないように、非配線部３５ｈは、アウターレンズ突起部３３ｅ及びインナーレンズ突起部３４ｄのＬＥＤ基板３５の前面に当接可能な面から十分な範囲（例えば周囲５ｍｍ）に形成されている。
【００４５】
同様に、ＬＥＤ基板３５の後面においては、ＬＥＤ基板３５の後面に当接可能な後カバー突起部３６ｄの周囲に非配線部３５ｈが形成されている。ＬＥＤ基板３５の後面と平行な方向における部品間の遊びや部品寸法のばらつき等があっても、配線部３５ｇに形成されている配線と、後カバー突起部３６ｄと、が当接しないように、非配線部３５ｈは、後カバー突起部３６ｄのＬＥＤ基板３５の前面に当接可能な面から十分な範囲（例えば周囲５ｍｍ）に形成されている。このように、ＬＥＤ基板３５の前面及び後面において、非配線部３５ｈは、ＬＥＤ基板の前面及び後面に当接可能なアウターレンズ突起部３３ｅ、インナーレンズ突起部３４ｄ及び後カバー突起部３６ｄの周囲の限られた領域に形成されて、非配線部３５ｈを除く領域である配線部３５ｇに配線を形成可能としている。
【００４６】
４．本実施形態のまとめ
以上のように、本実施形態のスロットマシン１は、後カバー３６が、ＬＥＤ基板３５の後面に当接可能な複数の後カバー突起部３６ｄを有し、アウターレンズ３３が、ＬＥＤ基板３５の前面に当接可能な複数のアウターレンズ突起部３３ｅを有しているので、ＬＥＤ基板３５と後カバー３６及びアウターレンズ３３との間に、ＬＥＤ基板が後カバー突起部３６ｄ及びアウターレンズ突起部３３ｅに接触しない空間４２及び空間４０が形成され、ＬＥＤ基板３５が発する熱が空間４２及び空間４０から逃げやすいことで、ＬＥＤ基板３５の放熱性の向上を図ることができる。
【００４７】
また、ＬＥＤ基板３５に当接可能な複数のアウターレンズ突起部３３ｅのうち少なくとも１つは複数の後カバー突起部３６ｄのいずれにも重ならない位置に配置されているので、ＬＥＤ基板３５の後カバー突起部３６ｄ又はアウターレンズ突起部３３ｅが当接する部分において両面を塞いで熱が逃げにくくなることを防ぎ、ＬＥＤ基板３５の放熱性の向上を図ることができる。
【００４８】
また、後カバー３６及びアウターレンズ３３は、複数の後カバー突起部３６ｄ及びアウターレンズ突起部３３ｅでＬＥＤ基板３５に当接するように構成したので、ＬＥＤ基板３５上の非配線部３５ｈにおいて後カバー３６及びアウターレンズ３３が当接する箇所を限られた領域にすることができ、ＬＥＤ基板３５上の配線を形成可能な領域を拡大し、配線の自由度の向上を図ることができる。
【００４９】
また、ＬＥＤ基板３５は、アウターレンズ３３に形成されたアウターレンズ支持部３３ｄにより配線が形成された面と平行な方向を位置決め支持され、複数の後カバー突起部３６ｄ及びアウターレンズ突起部３３ｅにより配線が形成された面と交差する方向を支持可能に構成されているので、後カバー３６又はアウターレンズ３３によりＬＥＤ基板の端面を覆うようにＬＥＤ基板３５を支持する場合と比較して、回路基板の外寸法を大きく設計することができ、配線の自由度の向上を図ることができる。
【００５０】
５．変形例
なお、本実施形態において、スロットマシン１は、回路基板がＬＥＤを搭載したＬＥＤ基板であるように構成されているが、これに限定されない。例えば、回路基板は、主制御基板や副制御基板、可動役物に搭載されているドライバ基板等であるように構成されていてもよいし、配線を接続するための中継基板やスロットマシン１の各部に電流を供給する電源基板等であるように構成されていてもよい。
【００５１】
また、本実施形態において、スロットマシン１は、アウターレンズ突起部３３ｅが、ＬＥＤ基板３５の前面に交差する方向視において後カバー突起部３６ｄと重ならない位置に配置されるように構成されているが、全てのアウターレンズ突起部３３ｅが、ＬＥＤ基板３５の前面に交差する方向視において後カバー突起部３６ｄと重ならない位置に配置されるように構成されているものに限定されない。ただし、少なくとも基板の中心から最も遠いアウターレンズ突起部３３ｅ及び後カバー突起部３６ｄ同士は重ならないように配置されていることが望ましい。
【００５２】
また、本実施形態において、スロットマシン１は、ＬＥＤ基板３５が前後方向に遊びを有して支持されるように構成されているが、これに限定されない。例えば、スロットマシン１は、後カバー３６がＬＥＤ基板３５を挟み込んだ状態でアウターレンズ３３に対してねじにより固定されて、ＬＥＤ基板３５が前後方向に遊びを有しないように支持されるように構成されていてもよい。この場合においては、複数のアウターレンズ突起部３３ｅのうち、一部のアウターレンズ突起部３３ｅは、ＬＥＤ基板３５の前面に交差する方向視において後カバー突起部３６ｄと重なる位置に配置されて、ＬＥＤ基板３５に前後方向に変形するストレスを軽減するように構成されることが望ましい。
【００５３】
また、本実施形態において、スロットマシン１は、回路基板としてのＬＥＤ基板３５が支持部材としてのベース部材５３に支持されるように構成されているが、これに限定されない。例えば、スロットマシン１は、回路基板が筐体１０に支持されるように構成されていてもよいし、下扉ユニット５０Ｌを構成する部品に支持されるように構成されていてもよい。
【００５４】
また、本実施形態において、スロットマシン１は、ＬＥＤ基板３５の端面がアウターレンズ３３及び後カバー３６によっては覆われないように構成されているが、これに限定されない。例えば、スロットマシン１は、ＬＥＤ基板３５の端面の一部がアウターレンズ３３又は後カバー３６によって覆われるように構成されていてもよい。
【００５５】
また、本実施形態において、スロットマシン１は、アウターレンズ３３のアウターレンズ支持部３３ｄが、ＬＥＤ基板３５の円孔３５ｃ及び溝３５ｄのそれぞれに挿入され、また、インナーレンズ３４のインナーレンズ支持部３４ｃが、ＬＥＤ基板３５の円孔３５ｅ及び長孔３５ｆのそれぞれに挿入され、ＬＥＤ基板３５の前面と平行な方向について、ＬＥＤ基板３５がアウターレンズ３３及びインナーレンズ３４に対して位置決め支持されるように構成されているが、これに限定されない。スロットマシン１は、例えば、後カバー３６から前方に向けて突設されている図示しない後カバー支持部が、円孔３５ｅ及び長孔３５ｆのそれぞれに挿入され、ＬＥＤ基板３５の前面と平行な方向について、ＬＥＤ基板３５が後カバー３６に対して位置決め支持されるように構成されていてもよい。
【００５６】
また、スロットマシン１は、例えば、ＬＥＤ基板３５に円孔３５ｃのみ又は溝３５ｄのみが形成されて、円孔３５ｃのみ又は溝３５ｄのみによって、ＬＥＤ基板３５の前面と平行な方向について、ＬＥＤ基板３５がアウターレンズ３３、インナーレンズ３４、後カバー等に位置決め支持されるように構成されていてもよい。また、スロットマシン１は、例えば、ＬＥＤ基板３５には貫通する円孔３５ｃや溝３５ｄの代わりに貫通しない溝や窪み等が形成され、当該溝や窪みにアウターレンズ支持部３３ｄやインナーレンズ支持部３４ｃ、後カバー支持部等が挿入されて、ＬＥＤ基板３５の前面と平行な方向について、ＬＥＤ基板３５がアウターレンズ３３、インナーレンズ３４、後カバー等に位置決め支持されるように構成されていてもよい。
【００５７】
また、スロットマシン１は、例えば、ＬＥＤ基板３５に円孔３５ｃ及び溝３５ｄのいずれも形成されず、ＬＥＤ基板３５の前面と平行な方向について、ＬＥＤ基板３５の端面に当接可能な部品に対してＬＥＤ基板３５が位置決め支持されるように構成されていてもよい。具体的には、前カバー３０、後カバー３６、アウターレンズ３３等がＬＥＤ基板３５の端面に当接可能な図示しない当接部を有して、ＬＥＤ基板３５の前面と平行な方向について、ＬＥＤ基板３５が前カバー３０、後カバー３６、アウターレンズ３３等に位置決め支持されるように構成されていてもよい。
【００５８】
また、本実施形態において、スロットマシン１は、後カバー３６が第１保持部材を構成し、アウターレンズ３３が第２保持部材を構成しているが、これに限定されない。スロットマシン１は、第１保持部材及び第２保持部材との間に基板が配置されているように構成されるものであればよい。スロットマシン１は、例えば、アウターレンズ３３が第１保持部材を構成し、後カバー３６が第２保持部材を構成してもよいし、前カバー３０やインナーレンズ３４が第１保持部材や第２保持部材を構成してもよいし、その他の構成部品が第１保持部材や第２保持部材を構成してもよい。
【００５９】
また、本実施形態においては、遊技機の一例である、メダルを遊技媒体として用いた遊技を行うスロットマシンを例にして説明したが、本発明は、遊技球を遊技媒体として用いた遊技を行うスロットマシンや、入賞口への入球を抽選契機とした抽選が実行されるパチンコ機を含む弾球遊技機等の各種の遊技機に適用可能である。
【符号の説明】
【００６０】
１      スロットマシン（遊技機）
３３    アウターレンズ（第２保持部材）
３３ｄ  アウターレンズ支持部（支持部）
３３ｅ  アウターレンズ突起部（第２突起部）
３５    ＬＥＤ基板（回路基板）
３５ｃ  円孔（孔）
３５ｄ  溝
３６    後カバー（第１保持部材）
３６ｄ  後カバー突起部（第１突起部）
５３    ベース部材（支持部材）
７５    上部ランプユニット（装飾部材）
７６Ｌ  サイドランプユニット（装飾部材）
７６Ｒ  サイドランプユニット（装飾部材）
【図１】
2019088706.tif 000003
【図２】
2019088706.tif 000004
【図３】
2019088706.tif 000005
【図４】
2019088706.tif 000006
【図５】
2019088706.tif 000007